(57)【要約】  吸収性物品（１Ａ）では、背側（Ｂａ）から腹側（Ｆｒ）に向かう長手方向（Ｌ）に沿って順に背側領域（Ｓ１）と股下領域（Ｓ２）と腹側領域（Ｓ３）とが設けられている。吸収性物品（１Ａ）は、吸収性物品本体（２）と、一対のサイドフラップ部（１０）と、背側領域（Ｓ１）において、一対のサイドフラップ部（１０）から吸収性物品本体の幅方向（Ｗ）の外側に張り出すように設けられている一対のウエストフラップ部（２０）とを具備している。一対のウエストフラップ部（２０）の各々には、胴回り延伸領域（２３）が、腹側（Ｆｒ）の端縁に達するように形成されており、胴回り延伸領域（２３）の腹側（Ｆｒ）の端部において吸収性物品本体（１Ａ）の幅方向（Ｗ）に延ばした寸法が、その背側（Ｂａ）の端部において幅方向Ｗに延ばした寸法よりも大きくなるように形成されている。
2009104581.tif 000002
【特許請求の範囲】
【請求項１】
背側及び腹側が決められており、該背側から該腹側に向かう長手方向に沿って順に背側領域と股下領域と腹側領域とが設けられている吸収性物品であって、
液透過性のトップシートと、液不透過性のバックシートと、前記トップシートと前記バックシートとの間に配置され、液体を吸収し保持する吸収体とを具備する吸収性物品本体と、
前記吸収性物品本体の幅方向の両側において、かつ、両側端縁部周辺において、該吸収性物品本体の幅方向の外側に設けられている一対のサイドフラップ部と、
前記背側領域において、前記一対のサイドフラップ部から前記吸収性物品本体の幅方向の外側に張り出すように設けられている一対のウエストフラップ部とを具備しており、
前記一対のウエストフラップ部の各々には、胴回り延伸領域が設けられており、
前記胴回り延伸領域の各々は、前記腹側の端部において前記吸収性物品本体の幅方向に延ばした寸法が、前記背側の端部において該吸収性物品本体の幅方向に延ばした寸法よりも大きくなるように形成されており、
前記胴回り延伸領域の各々は、前記一対のウエストフラップ部の各々における前記腹側の端縁に達するように形成されていることを特徴とする吸収性物品。
【請求項２】
前記胴回り延伸領域の各々は、前記一対のウエストフラップ部の各々における前記背側の端縁には達しない範囲で設けられていることを特徴とする請求項１に記載の吸収性物品。
【請求項３】
前記胴回り延伸領域の各々は、前記一対のウエストフラップ部の各々における前記背側の端縁にまで達する範囲で設けられていることを特徴とする請求項１に記載の吸収性物品。
【請求項４】
前記胴回り延伸領域の各々は、前記一対のウエストフラップ部の各々の根元位置に設けられていることを特徴とする請求項１に記載の吸収性物品。
【請求項５】
前記胴回り延伸領域の各々における前記腹側の端縁は、１.１〜３.０倍の範囲で延伸されていることを特徴とする請求項１に記載の吸収性物品。
【発明の詳細な説明】
【技術分野】
【０００１】
本発明は、着用者へのフィット性が良好なオムツ等の吸収性物品に関する。
【背景技術】
【０００２】
この種の従来のオムツとしては、特開２００４-２９０４００公報に開示されたものが知られている。このオムツ１００は、図１に示すように、液透過性のトップシート１０１ａと、液不透過性のバックシート（図示せず）と、トップシート１０１ａとバックシートとの間に配置され、液体を吸収し保持する吸収体１０１ｃとからなる吸収性物品本体１０１を備えている。【０００３】
ここで、かかるオムツ１００には、「背側（後側）Ｂａ」及び「腹側（前側）Ｆｒ」が決められている。背側Ｂａは、オムツ１００が着用されている時に着用者の背側に来るサイドであり、腹側Ｆｒは、オムツ１００が着用されている時に着用者の腹側に来るサイドである。【０００４】
また、かかるオムツ１００には、背側Ｂａから腹側Ｆｒに向かう長手方向Ｌに沿って順に背側領域Ｓ１と股下領域Ｓ２と腹側領域Ｓ３とが設けられている。【０００５】
吸収性物品本体１０１は、着用者の背側から腹側に渡って、着用者の股下部分を全体的に覆うことができるように構成されている。【０００６】
吸収性物品本体１０１の幅方向Ｗの両側には、トップシート１０１ａ及びバックシートが延在されることによって、サイドフラップ部１１０が設けられている。【０００７】
各サイドフラップ部１１０には、吸収性物品本体１０１の長手方向Ｌに、延伸状態で弾性部材１１１が設けられている。【０００８】
各サイドフラップ部１１０の背側領域Ｓ１には、一対のウエストフラップ部１２０が設けられている。【０００９】
各ウエストフラップ部１２０は、細長の帯状であり、着用者の胴回り方向に対応する方向（吸収性物品本体１０１の幅方向Ｗ）に対して傾斜（約３０度）して設けられている。【００１０】
各ウエストフラップ部１２０の端部には、係止部１３０が取り付けられている。一方のウエストフラップ部１２０の端部に取り付けられている係止部１３０を、他方のウエストフラップ部１２０に係止させることにより、オムツ１００の着用者の胴回りへの着用が行われる。【００１１】
止着部１４０は、吸収性物品本体１０１の腹側領域Ｓ３に取り付けられている。【００１２】
かかる止着部１４０を、着用者の胴回りに着用された状態のウエストフラップ部１２０に、外側から止着させることにより、吸収性物品本体１０１が、着用者の股下部分を覆うようになる。【００１３】
かかるオムツ１００では、着用時には、着用者の胴回り方向に対して着用者の背側に傾斜させる方向に、一対のウエストフラップ部１２０を配置することができるため、身体へのフィット性が高い。【００１４】
しかしながら、かかるオムツ１００では、ウエストフラップ部１２０を、着用者の胴回り方法に対応する方向（吸収性物品本体１０１の幅方向Ｗ）に傾斜して配置する必要があるため、製造工程が複雑となり、又、使用資材が増加する問題がある。
【発明の開示】
【００１５】
そこで、本発明は、使用資材を増加させず、製造工程が面倒でなく、しかも、身体へのフィット性が高い吸収性物品を提供することを目的とする。
【００１６】
本発明の第１の特徴は、背側及び腹側が決められており、該背側から該腹側に向かう長手方向に沿って順に背側領域と股下領域と腹側領域とが設けられている吸収性物品であって、液透過性のトップシートと、液不透過性のバックシートと、前記トップシートと前記バックシートとの間に配置され、液体を吸収し保持する吸収体とを具備する吸収性物品本体と、前記吸収性物品本体の幅方向の両側において、前記長手方向に沿って、該吸収性物品本体の幅方向の外側に設けられている一対のサイドフラップ部と、前記背側領域において、前記一対のサイドフラップ部から前記吸収性物品本体の幅方向の外側に張り出すように設けられている一対のウエストフラップ部とを具備しており、前記一対のウエストフラップ部の各々には、胴回り延伸領域が設けられており、前記胴回り延伸領域の各々は、前記腹側の端部において前記吸収性物品本体の幅方向に延ばした寸法が、前記背側の端部において該吸収性物品本体の幅方向に延ばした寸法よりも大きくなるように形成されており、前記胴回り延伸領域の各々は、前記一対のウエストフラップ部の各々における前記腹側の端縁に達するように形成されていることを要旨とする。
【００１７】
本発明の第１の特徴において、前記胴回り延伸領域の各々は、前記一対のウエストフラップ部の各々における前記背側の端縁には達しない範囲で設けられていてもよい。
【００１８】
本発明の第１の特徴において、前記胴回り延伸領域の各々は、前記一対のウエストフラップ部の各々における前記背側の端縁にまで達する範囲で設けられていてもよい。
【００１９】
本発明の第１の特徴において、前記胴回り延伸領域の各々は、前記一対のウエストフラップ部の各々の根元位置に設けられていてもよい。
【００２０】
本発明の第１の特徴において、前記胴回り延伸領域の各々における前記腹側の端縁は、１.１〜３.０倍の範囲で延伸されていてもよい。
【図面の簡単な説明】
【００２１】
【図１】図1は、従来例のオムツの平面図である。
【図２】図２は、本発明の第１の実施形態を示し、オムツの展開状態の平面図である。
【図３】図３は、本発明の第１の実施形態を示し、図２のＡ−Ａ線断面図である。
【図４】図４は、本発明の第１の実施形態を示し、図２のＢ−Ｂ線断面図である。
【図５】図５は、本発明の第１の実施形態を示し、図２のＣ−Ｃ線断面図である。
【図６】図６は、本発明の第１の実施形態を示し、装着状態を展開して示す平面図である。
【図７】図７は、本発明の第１の実施形態を示し、延伸装置の断面図である。
【図８】図８は、本発明の第１の実施形態を示し、装着状態の側面図である。
【図９】図９は、本発明の第２の実施形態を示し、（Ａ）は着用前の平面図、（Ｂ）は着用後の平面図である。
【図１０】図１０は、本発明の第３の実施形態を示し、（Ａ）は着用前の平面図、（Ｂ）は着用後の平面図である。
【図１１】図１１は、本発明の第４の実施形態を示し、オムツの展開状態の平面図である。
【発明を実施するための最良の形態】
【００２２】
以下、本発明の実施の形態を図面に基づいて説明する。【００２３】
（第１の実施形態）
図２〜図８は、本発明の第１の実施形態を示し、図２は、オムツの展開状態の平面図を示し、図３は、図２のＡ−Ａ線断面図を示し、図４は、図２のＢ−Ｂ線断面図を示し、図５は、図２のＣ−Ｃ線断面図を示し、図６は、延伸装置の要部断面図を示し、図７は、胴回り延伸領域の延伸状態の平面図を示し、図８は、オムツの装着状態の側面図である。【００２４】
図２〜図６に示すように、吸収性物品であるオムツ１Ａは、吸収性物品本体２と、一対のサイドフラップ部１０と、一対の背側ウエストフラップ部（ウエストフラップ部）２０と、一対の腹側ウエストフラップ部２１とを備えている。【００２５】
図２に示すように、かかるオムツ１Ａでは、背側Ｂａ及び腹側Ｆｒが決められており、背側Ｂａから腹側Ｆｒに向かう長手方向Ｌに沿って順に背側領域Ｓ１と股下領域Ｓ２と腹側領域Ｓ３とが設けられている。【００２６】
図２に示すように、一対のサイドフラップ部１０は、吸収性物品本体２の幅方向Ｗの両側において、吸収性物品本体２の長手方向Ｌに沿って、吸収性物品本体２の幅方向Ｗの外側に設けられている。【００２７】
また、一対の背側ウエストフラップ部２０は、背側領域Ｓ１において、一対のサイドフラップ部１０から吸収性物品本体２の幅方向Ｗの外側に張り出すように設けられている。【００２８】
さらに、一対の腹側ウエストフラップ部２１は、腹側領域Ｓ３において、一対のサイドフラップ部１０から吸収性物品本体２の幅方向Ｗの外側に張り出すように設けられている。【００２９】
吸収性物品本体２は、液透過性のトップシート３と、液不透過性のバックシート４と、トップシート３とバックシート４との間に配置され、液体を吸収して保持する吸収体５とから少なくとも構成されている。【００３０】
トップシート３は、親水性不織布、織布、開孔を有する疎水性不織布等により形成される。【００３１】
バックシート４は、液不透過性不織布、液不透過性フィルム、親水性不織布及び液不透過性フィルムを貼り合わせたシート等により形成される。本実施形態では、バックシート４は、液不透過性フィルム４ａと液不透過性不織布４ｂとを貼り合わせたものが使用されている。【００３２】
吸収体５は、吸収性のパルプ及び高吸収性ポリマーを混合した積層体が使用される。【００３３】
一対のサイドフラップ部１０は、吸収性物品本体２の幅方向Ｗの両側から延在されたトップシート３とバックシート４によって形成されている。【００３４】
一対のサイドフラップ部１０の少なくとも股下領域Ｓ２には、長手方向Ｌに沿って弾性部材１２が伸長状態で設けられている。【００３５】
弾性部材１２は、４本のポリウレタン系弾性糸４７０ｄｔｅｘを、倍率２．２倍で伸長させたものが使用されている。【００３６】
一対の背側ウエストフラップ部２０及び一対の腹側ウエストフラップ部２１は、着用者の胴回り方向に対応する方向（吸収性物品本体２の幅方向Ｗ）に延びている。【００３７】
すなわち、一対の背側ウエストフラップ部２０は、一対のサイドフラップ部１０の背側領域Ｓ１から吸収性物品本体２の幅方向Ｗの外側に張り出すように設けられており、一対の腹側ウエストフラップ部２１は、一対のサイドフラップ部１０の腹側領域Ｓ３から吸収性物品本体２の幅方向Ｗの外側に張り出すように設けられている。【００３８】
ここで、背側背側ウエストフラップ部２０及び腹側ウエストフラップ部２１は、液不透過性不織布によって形成されている。【００３９】
この内、特に、一対の背側ウエストフラップ部２０は、液不透過性で且つ加熱延展性の不織布により形成されるものであり、本実施形態における一対の背側ウエストフラップ部２０は、ＳＭＳ１３ｇ/ｍ２のシート素材を２枚貼り合わせことにより形成されている（図４参照）。【００４０】
一対の背側ウエストフラップ部２０の先端側には、係止部２２が設けられている。【００４１】
係止部２２は、腹側ウエストフラップ部２１に係合するものであり、機械的な係止力で係止する面ファスナーや粘着力によって係止する粘着テープを用いることができる。【００４２】
係止部２２を面ファスナーとする場合には、腹側ウエストフラップ部２１の素材は、少なくともその表面が不織布となっているシート材料が用いられる。【００４３】
一対の背側ウエストフラップ部２０の各々には、胴回り延伸領域２３が形成されている。【００４４】
胴回り延伸領域２３の各々は、サイドフラップ部１０の近傍、つまり、根元位置に設けられている。【００４５】
また、胴回り延伸領域２３の各々は、腹側Ｆｒの端縁から吸収性物品本体２の長手方向Ｌに沿って延びるように形成される。【００４６】
胴回り延伸領域２３における背側Ｂａの端部は、各背側ウエストフラップ部２０における背側Ｂａの端縁の手前までであり、胴回り延伸領域２３が、各背側ウエストフラップ部２０における背側Ｂａの端縁に達していないため、各背側ウエストフラップ部２０における背側Ｂａの端縁周辺に、非延伸領域Ｆが存在する。【００４７】
本実施形態において、胴回り延伸領域２３の長さは、１００ｍｍに設定され、非延伸領域Ｆの長さは、１０ｍｍに設定されている。【００４８】
胴回り延伸領域２３は、延伸加工によって他の領域より低秤量化された領域である。【００４９】
延伸加工によって形成された胴回り延伸領域２３は、図４に示すように、サイドフラップ部１０の幅方向Ｗに沿って延伸量が小さい密部（符号を付さず）と延伸量が大きい粗部（符号を付さず）とが交互に設けられた構造となっている。【００５０】
延伸加工は、胴回り延伸領域２３ｂにおける腹側Ｆｒの端部の幅方向Ｗに延ばした寸法が、胴回り延伸領域２３ｂにおける背側Ｂａの端部の幅方向Ｗに延ばした寸法よりも大きくなるように行われる。【００５１】
このような延伸加工を行うことにより、着用者が、オムツ１Ａを着用したとき、背側ウエストフラップ部２０における背側Ｂａの延びが小さいのに対し、背側ウエストフラップ部２０における腹側Ｆｒの延びが大きいため、オムツ１Ａが、着用者の股下部分にフィットすることができる。【００５２】
図６により、胴回り延伸領域２３について具体的に説明する。図６において、Ｘは、延伸前における胴回り延伸領域２３の幅方向Ｗの寸法（すなわち、延伸量）であり、Ｙは、延伸によって伸長した胴回り延伸領域２３の幅方向Ｗの寸法（すなわち、延伸量）である。【００５３】
上述したように、Ｘ＜Ｙに設定されるが、ＹとＸとの寸法差は、０.５〜１０ｃｍとなるように設定することが好ましい。【００５４】
かかる寸法差が０.５ｃｍ未満の場合、ウエスト部分とヒップ部分との周長差が最小でも１ｃｍ以上ある子供に対しては、延伸前後の距離差が少なくなって、ウエスト部分とヒップ部分との周囲長のギャップを胴回り延伸領域２３の伸長距離で補うことができない。【００５５】
これにより、ウエスト部分に隙間が発生してフィット性が悪くなり、着用中にオムツがズレたり、排泄物の漏れの原因になる。【００５６】
一方、かかる寸法差が１０ｃｍを越えると、ウエスト部分とヒップ部分との周長差が最大でも２０ｃｍ程度の大人に対しては、延伸部分と非延伸部分との距離差が大きいために、延伸により伸ばされたヒップ部分に隙間が発生してフィット性が悪くなる。これにより、着用中にオムツがズレたり、排泄物の漏れ発生の原因になる。【００５７】
図７は、延伸加工を行うための延伸装置３０を示す。延伸装置３０は、互いに対向し、且つ、噛み合い可能な一対の延伸刃列部３１を有する。【００５８】
各延伸刃列部３１では、刃の深さが２ｍｍであり、一対の刃のピッチ間が１.２５ｍｍであり、刃数が１７本である。【００５９】
一対の背側ウエストフラップ部２０は、軟化点近辺の温度まで昇温された後、延伸刃列部３１の間に挿入され、延伸刃列部３１の設定温度を１００℃として延伸加工が施される。【００６０】
延伸刃列部３１を昇温させることにより、一対の背側ウエストフラップ部２０の資材が軟化点に近づくため、伸長し易くなって延伸加工による資材破損を軽減することができる。【００６１】
また、加工速度が大きくなることにより、一対の背側ウエストフラップ部２０の資材への刃からの加熱が十分でない場合は、延伸刃列部３１の手前で、予備加熱しても良い。【００６２】
このような延伸装置３０で延伸することによって、一対の背側ウエストフラップ部２０において、延伸量が小さい密部及び延伸量が大きい粗部が幅方向Ｗに交互に設けられる。【００６３】
図８は、上述の構成のオムツ１Ａの着用状態を示す。かかるオムツ１Ａは、一対の背側ウエストフラップ部２０の係止部２２を、一対の腹側ウエストフラップ部２１の表面に係止することにより着用状態となる。【００６４】
着用者が、オムツ１Ａを着用すると、各サイドフラップ部１０の外周が、各弾性部材１２ａ〜１２ｄの収縮によって着用者の足回りに密着する。【００６５】
一対の背側ウエストフラップ部２０においては、非延伸領域Ｆが、吸収性物品本体１０１の幅方向Ｗに延びないが、胴回り延伸領域２３が、吸収性物品本体１０１の幅方向Ｗに延びるため、上述したように、ＸとＹの寸法差が発生する。【００６６】
このため、ウエスト周りだけでなく、ウエスト周りよりも大きな周囲長のヒップ周りにも良好にフィットすることができる。【００６７】
この場合、一対の背側ウエストフラップ部２０の胴回り延伸領域２３における腹側Ｆｒの端縁は、ヒップ部分を十分に包み込む大きさにできる点及び資材破損の恐れもない点を考慮した場合、１.１〜３.０倍の範囲で延伸されることが好ましい。【００６８】
延伸量が１.１倍未満であると、一対の背側ウエストフラップ部２１の胴回り寸法が小さくてヒップ部分を十分に包み込むことができない恐れがあり、延伸量が３.０倍を越すと、延伸によるダメージが大きくて破れや穴あき等の資材破損が発生する恐れがあることによる。【００６９】
また、胴回り延伸領域２３における腹側Ｆｒの端縁は、ヒップ部分へのフィット性と資材破損の防止を配慮した場合、１.２〜２.０倍の範囲で延伸されることが更に好ましい。【００７０】
また、各背側ウエストフラップ２０は、着用者の胴回り方向に対応する方向（吸収性物品本体２の幅方向Ｗ）に設けることができるため、使用資材を増加させることがなく、しかも製造工程が面倒となることがない。【００７１】
本施形態では、一対の背側ウエストフラップ部２０は、胴回り延伸領域２３だけが延び、全体が伸長しないため、オムツ１Ａの着用時にも、着用前の胴回り寸法が維持され、オムツ１Ａがずれることがない。【００７２】
本実施形態では、一対の背側ウエストフラップ部２０の長手方向Ｌには、胴回り延伸領域２３以外の箇所（非延伸領域Ｆ）が存在するため、一対の背側ウエストフラップ部２１の強度の低下を極力防止できる。【００７３】
本実施形態では、一対の背側ウエストフラップ部２０の根本位置（サイドフラップ部１０の近傍）に胴回り延伸領域２３が設けられているので、一対の背側ウエストフラップ部２０における幅方向Ｗの先端における傾斜に対する変移量を大きく稼ぐことができるため、小さな幅の胴回り延伸領域２３の幅で所望の変移量とすることができる。【００７４】
なお、一対の背側ウエストフラップ部２０の長手方向Ｌの寸法は、着用者の体型やオムツ全体の意匠性により決定される項目であるため、特に制約はないが、オムツ１Ａの着用時に、一対の背側ウエストフラップ部２０が伸長することにより生じるオムツ１Ａの幅方向Ｗの仮想線とのなす角は、０〜３０°であることが好ましい。【００７５】
かかる角度が、０°未満の場合には、ヒップ周りの距離よりもウエスト周りの距離が長くなるため、フィット性が得られず、かかる角度が、３０°を越える場合には、ウエスト周りの方向に背側ウエストフラップ部２０の張力がかかり難くなり、フィット性が低下するため好ましくない。【００７６】
また、本実施形態では、一対の背側ウエストフラップ部２０及び一対の腹側ウエストフラップ部２１は、一対のサイドフラップ部１０と別部材にて構成したが、これらは、同一部材で構成されていてもよい。このように構成すれば、オムツ１Ａの製造を簡素化できる。【００７７】
（第２の実施形態）
図９は、本発明の第２実施形態に係るオムツ１Ｂの平面図であり、図９（Ａ）は、着用前のオムツ１Ｂの平面図を示し、図９（Ｂ）は、着用後のオムツ１Ｂの平面図を示す。【００７８】
第２の実施形態に係るオムツ１Ｂは、第１の実施形態に比べて、胴回り延伸領域２３が、各背側ウエストフラップ部２０の長手方向Ｌにおける両方の端縁まで形成されている。【００７９】
すなわち、胴回り延伸領域２３は、一対の背側ウエストフラップ部２０の全長にわたって形成されている。【００８０】
また、胴回り延伸領域２３は、背側ウエストフラップ部２０の全長にわたって延伸加工が施された幅寸法が同じであるが、単位長さ当たりの延伸量が異なる。【００８１】
これによって、腹側Ｆｒにおける胴回り延伸領域部２３が、背側Ｂａにおける胴回り延伸領域部２３よりも、引き延ばした際（着用時）の幅寸法が大きくなるように構成されている。【００８２】
つまり、図９（Ａ）に示すように、着用前の胴回り延伸領域２３の幅寸法は、Ｈ寸法であるが、図９（Ｂ）に示すように、着用後の背側Ｂａにおける胴回り延伸領域部２３がＩ寸法（Ｈ＜Ｉ）となり、着用後の腹側Ｆｒにおける胴回り延伸領域部２３がＪ寸法（Ｈ＜Ｊ、且つ、Ｉ＜Ｊ）となる。【００８３】
このような延伸量の関係とすることにより、第１の実施形態と同様のフィット性を確保できる。【００８４】
本実施形態のオムツ１Ｂの製造における延伸加工は、背側Ｂａと腹側Ｆｒとの間で、延伸刃列部３１の刃の深さを変化させることにより可能である。【００８５】
他の構成は、第１の実施形態と同一であるため、重複説明を省略すると共に図面の同一箇所には同一符号を付して明確化を図る。【００８６】
本実施形態では、胴回り延伸領域２３は、長手方向Ｌの延伸幅が同じであっても、胴回り延伸領域２３の端部は、胴回り延伸領域２３でない箇所に拘束されているため、端部での延伸量が小さく、端部より遠ざかると延伸量が大きくなる。【００８７】
このため、傾斜形状を形成するに際して無駄のない胴回り延伸領域２３とすることができる。【００８８】
（第３の実施形態）
図１０は、本発明の第３の実施形態に係るオムツ１Ｃの平面図であり、図１０（Ａ）は、着用前のオムツ１Ｂの平面図を示し、図１０（Ｂ）は、着用後のオムツ１Ｂの平面図を示す。【００８９】
第３の実施形態に係るオムツ１Ｃは、第２の実施形態と同様に、胴回り延伸領域２３は、一対の背側ウエストフラップ部２０の全長にわたって形成されている。【００９０】
本実施形態では、胴回り延伸領域２３は、一対の背側ウエストフラップ部２０の全長にわたって延伸加工が施された幅寸法が異なり、腹側Ｆｒにおける胴回り延伸領域部２３ａの幅寸法が大きく、背側Ｂａにおける胴回り延伸領域部２３ｂの幅寸法が小さく設定されている。【００９１】
これによって、腹側Ｆｒにおける胴回り延伸領域部２３ａが、背側Ｂａにおける胴回り延伸領域部２３ｂよりも、引き延ばした際（着用時）の幅寸法が大きく設けられている。【００９２】
つまり、図１０（Ａ）に示すように、着用前の胴回り延伸領域２３の幅寸法は、Ｈ寸法であるが、図１０（Ｂ）に示すように、着用後の背側Ｂａにおける胴回り延伸領域部２３ｂの幅がＩ寸法（Ｈ＜Ｉ）となり、着用後の腹側Ｆｒにおける胴回り延伸領域部２３ａの幅がＪ寸法（Ｈ＜Ｊ、且つ、Ｉ＜Ｊ）となる。【００９３】
このような延伸量の関係とすることにより、第１の実施形態と同様のフィット性を確保できる。【００９４】
他の構成は、第２の実施形態と同一であるため、重複説明を省略すると共に図面の同一箇所には同一符号を付して明確化を図る。【００９５】
本実施形態では、一対の背側ウエストフラップ部２０における幅方向Ｗの先端における傾斜に対する変移量を大きく稼ぐことができるため、胴回り延伸領域２３の幅寸法や延伸程度等を極力小さくして所望の変移量とすることができる。【００９６】
（第４の実施形態）
図１１は、本発明の第４の実施形態に係るオムツ１Ｄの平面図である。【００９７】
第４の実施形態に係るオムツ１Ｄは、ベルトタイプであり、一対の背側ウエストフラップ部２０が、吸収性物品本体２の長手方向Ｌと直交する方向（幅方向Ｗ）に長く延びるように設けられている。【００９８】
一方の背側ウエストフラップ部２０には、係止部２２が設けられている。【００９９】
一対の腹側ウエストフラップ部２１も、吸収性物品本体２の幅方向Ｗに設けられており、その面には、係止部２４が設けられており、オムツ１Ｄの着用が可能となっている。【０１００】
本実施形態においても、各サイドフラップ部１０の外側に、胴回り延伸領域２３を設けることによりフィット性が向上する。【０１０１】
なお、日本国特許出願第2008-037921号（2008年2月19日出願）の全内容が、参照により、本願明細書に組み込まれている。
【産業上の利用可能性】
【０１０２】
以上のように、本発明に係る吸収性物品によれば、製品製造時には、一対のウエストフラップ部２０を、着用者の胴回り方向に対応する方向（吸収性物品本体２の幅方向Ｗ）に延設することができ、着用時には、各胴回り延伸領域２３によって、着用者の胴回り方向に対して着用者の背側に傾斜させる方向に一対のウエストフラップ部２０を配置することができる。【０１０３】
従って、本発明によれば、使用資材を増加させず、製造工程が面倒でなく、しかも、身体へのフィット性が高い吸収性物品を提供できる。
【図１】
2009104581.tif 000003
【図２】
2009104581.tif 000004
【図３】
2009104581.tif 000005
【図４】
2009104581.tif 000006
【図５】
2009104581.tif 000007
【図６】
2009104581.tif 000008
【図７】
2009104581.tif 000009
【図８】
2009104581.tif 000010
【図９】
2009104581.tif 000011
【図１０】
2009104581.tif 000012
【図１１】
2009104581.tif 000013
【国際調査報告】
2009104581.tif 000014
2009104581.tif 000015
2009104581.tif 000016
2009104581.tif 000017